(57)【要約】      （修正有）【課題】インスライド方式のドアの戸板を開放操作する際に、ドアの閉鎖操作を円滑に行うことのできるドア連結機構を提供する。【解決手段】戸枠の一方の側方において固定された固定部４１と、固定部から延設されて戸板に対して結合され、固定部及び戸板とのそれぞれの結合部位４４において回転動作が可能な連結部４２と、固定部との結合部位において設けられた弾性変形部４５と、固定部において戸板が開放動作された際に弾性変形部と接触する位置に設けられた抑制部４１ｂと、を備え、戸板を開放動作する場合、連結部が、結合部位を中心に開放方向へと回転動作が行われる途中で弾性変形部と抑制部とが接触し、抑制部が弾性変形部を押圧することで、弾性変形部が変形しつつ、戸板が開放位置へと移動し、戸板を閉鎖動作する場合、抑制部と接触状態にある弾性変形部が元の形状へと戻る復元力によって、連結部の結合部位における回転動作が閉鎖方向に付勢される。【選択図】図３
2016102335.tif 000002
【特許請求の範囲】
【請求項１】
戸枠と、戸板とを連結するドアの連結機構であって、
前記戸枠の一方の側方において固定された固定部と、
前記固定部から延設されて前記戸板に対して結合されるとともに、前記固定部及び前記戸板とのそれぞれの結合部位において回転動作が可能な連結部と、
前記固定部との前記結合部位において設けられた弾性変形部と、
前記固定部において前記戸板が開放動作された際に前記弾性変形部と接触する位置に設けられた抑制部と、
を備え、
前記戸板は、開放動作時において、前記戸板の上端、及び下端の少なくとも一方に設けられるとともに、前記戸板に対して回転動作が可能なガイド部が前記戸板のガイドレール内を摺動することで開放動作が行われ、
前記戸板を開放動作する場合、前記連結部が、前記結合部位を中心に開放方向へと回転動作が行われる途中で前記弾性変形部と前記抑制部とが接触し、前記抑制部が前記弾性変形部を押圧することで、前記弾性変形部が変形しつつ、前記戸板が開放位置へと移動し、
前記戸板を閉鎖動作する場合、前記抑制部と接触状態にある前記弾性変形部が元の形状へと戻る復元力によって、前記連結部の前記結合部位における回転動作が閉鎖方向に付勢される
ことを特徴とするドアの連結機構。
【請求項２】
前記弾性変形部は、内側に孔部を有するねじりばねであって、前記結合部位において前記孔部に固定用ねじが挿入されて、前記連結部、及び前記固定部に対して固定されてなる
ことを特徴とする請求項１に記載のドアの連結機構。
【請求項３】
前記抑制部材は、前記固定部において前記弾性変形部の開放動作時における軌跡上に設けられた突出部である
ことを特徴とする請求項１に記載のドアの連結機構。
【発明の詳細な説明】
【技術分野】
【０００１】
本発明は、戸板と、戸枠とを連結するドアの連結機構に関するものである。
【背景技術】
【０００２】
従来、ドアの開閉方式としては、インスライドドアと呼ばれるドアの開放時のスペースを省略することのできる機構が知られている。
【０００３】
このインスライドドアの方式にあっては、ドアは手前側、又は奥側に対して操作されると、ドアの上端に設けられた摺動可能なガイド部が戸枠のガイドレールをドアの固定された側縁部側に向けて摺動する。この際、ドアの戸板と戸枠とを連結する連結機構は、戸枠に対する固定部位において回転可能であるとともに、戸板においても回転可能となっていることから、ひかれたドアは、連結部材に対して回転し、元の閉鎖時の状態から約９０度回転した態様へと変移する。
【０００４】
なお、ガイド部は戸板の上端で回転可能に設けられていることから、戸板はガイドレール内を摺動しつつ、回転して角度が変更される。このようにして開放動作が行われるため、インスライドドアの方式にあっては、ガイド部が取り付けられた位置で戸板が回転して、開放されるため、開放の軸側からガイド部までの長さに相当する分だけ開放時に省スペースが可能となる。
【先行技術文献】
【特許文献】
【０００５】
【特許文献１】特開平１１−０５０７３号公報
【発明の概要】
【発明が解決しようとする課題】
【０００６】
しかしながら、上述のインスライドドアにあっては、ドアの閉鎖時に力の入れ方によっては、ドアが上方、又は下方側に傾いて閉鎖されてしまう場合がある。すなわち、図６−１、及び図６−２の図面で示されるような態様である。
【０００７】
図６−１にあっては、ドアノブを操作する際に、上端側に対して力が偏重してかかった場合の状態である。この場合、戸板２００は、上端側に設けられたドア連結機構１４０のほうが、下端側に設けられたドア連結機構１４０よりも先に折りたたまれた状態から展開され、上端側のガイド部３０が先行して摺動していってしまい、ドアの閉鎖動作が円滑に行われないこととなってしまう。
【０００８】
また、図６−２にあっては、ドアノブを操作する際に、下端側に対して力が偏重してかかった場合の状態である。この場合は、戸板２００の下端側に設けられたガイド部３０が先に摺動していってしまう。
【０００９】
本発明は、以上の点に鑑み、インスライド方式のドアの戸板を開放操作する際に、ドアの閉鎖操作を円滑に行うことのできるドアの連結機構を提供することを目的としている。
【課題を解決するための手段】
【００１０】
上記目的は、本発明の構成によれば、戸枠と、戸板とを連結するドアの連結機構であって、前記戸枠の一方の側方において固定された固定部と、前記固定部から延設されて前記戸板に対して結合されるとともに、前記固定部及び前記戸板とのそれぞれの結合部位において回転動作が可能な連結部と、前記固定部との前記結合部位において設けられた弾性変形部と、前記固定部において前記戸板が開放動作された際に前記弾性変形部と接触する位置に設けられた抑制部と、を備え、前記戸板は、開放動作時において、前記戸板の上端、及び下端の少なくとも一方に設けられるとともに、前記戸板に対して回転動作が可能なガイド部材が前記戸板のガイドレール内を摺動することで開放動作が行われ、前記戸板を開放動作する場合、前記連結部が、前記結合部位を中心に開放方向へと回転動作が行われる途中で前記弾性変形部と前記抑制部とが接触し、前記抑制部が前記弾性変形部を押圧することで、前記弾性変形部が変形しつつ、前記戸板が開放位置へと移動し、前記戸板を閉鎖動作する場合、前記抑制部と接触状態にある前記弾性変形部が元の形状へと戻る復元力によって、前記連結部の前記結合部位における回転動作が閉鎖方向に付勢されるドアの連結機構により達成される。
【００１１】
上記構成によれば、ドアの開放動作時に、連結部に設けられた弾性変形部が抑制部と接触することで、弾性変形部が変形しつつ開放動作が行われる。この際、弾性変形部の変形に係る抵抗力によって開放動作は若干の負荷を受けるが、開放動作が妨げられることはないため、そのまま正常に戸板は開放位置へと移動する。
【００１２】
一方、ドアの閉鎖動作時にあっては、上端、及び下端のドア連結機構の双方において弾性変形部は、抑制部と接触して弾性変形した状態から移動されることなる。したがって、弾性変形部はその復元力によって抑制部から付勢されていることとなるため、上端、及び下端のドア連結機構の連結部が閉鎖方向への回転が付勢されている。そうすることにより、連結部の回転が円滑に行われるため、ガイド部も上下でどちらかに偏ることなく摺動し、戸板の閉鎖動作が円滑に行われるようになる。
【００１３】
本発明による引き戸の閉動作抑制構造は、好ましくは、前記弾性変形部は、内側に孔部を有するねじりばねであって、前記結合部位において前記孔部に固定用ねじが挿入されて、前記連結部、及び前記固定部に対して固定されてなる。
【００１４】
本発明による引き戸の閉動作抑制構造は、好ましくは、前記抑制部材は、前記固定部において前記弾性変形部の開放動作時における軌跡上に設けられた突出部である。
【図面の簡単な説明】
【００１５】
【図１−１】本発明によるドア連結機構が設けられたドアの正面からみた概要図である。
【図１−２】本発明によるドア連結機構が設けられた戸板の上方から見た概要図である。
【図２−１】本発明によるドア連結機構が設けられたドアの閉鎖状態における正面概要図である。
【図２−２】本発明によるドア連結機構が設けられたドアの閉鎖状態における戸板の上方から見た概要図である。
【図３】本発明によるドア連結機構の詳細な構成を示す図である。
【図４】本発明によるドア連結機構の詳細な構成を示す図である。
【図５−１】本発明によるドア連結機構のドアの閉鎖状態における戸板の上方から見た概要図である。
【図５−２】本発明によるドア連結機構のドアの閉鎖、及び開放動作の途中の状態における戸板の上方から見た概要図である。
【図５−３】本発明によるドア連結機構のドアの開放状態における戸板の上方から見た概要図である。
【図６−１】従来のドア連結機構が設けられたドアの正面概要図である。
【図６−２】従来のドア連結機構が設けられたドアの正面概要図である。
【発明を実施するための形態】
【００１６】
以下、本発明を実現した実施形態を図面を参照して説明する。図１−１は、ドア連結機構が設けられたドアの正面概要図である。また、図１−２は、ドア連結機構が設けられた戸板の上方から見た概要図である。
【００１７】
図１−１、図１−２に示されるように、ドア１はインスライド方式のドアであり、戸枠１０、ガイドレール１１、固定ヒンジ１２、戸板２０、ノブ２１、ガイド部３０、及びドア連結機構４０を備えている。ガイドレール１１は、戸枠１０の上端、及び下端側にその長手方向全長にわたって設けられており、例えば、コの字型の金属製などの素材で形成されている。固定ヒンジ１２は、戸板２０側縁のほぼ上下方向中央の位置に設けられており、戸枠１０と戸板２０とを連結しており、ヒンジによって戸板２０を開閉動作可能に保持している。
【００１８】
ガイド部３０は、戸板２０の上下端部の両方に設けられおり、ガイドレール１１内を摺動可能に構成されている。また、ガイド部３０は、戸板２０の設けられた部位において回転可能になっている。すなわち、ガイド部３０はガイドレール１１内を摺動する際において、ガイド部３０自体が回転するのではなく、戸板２０が摺動に伴って回転し、戸枠１０に対して水平な状態から、９０度回転した状態へと変移する。
【００１９】
ドア連結機構４０は、戸板２０の上下端部の両方に設けられており、その一端が図中右側の戸板２０に対して固定されているとともに、その他端が戸板２０に上下端に固定されている。なお、ドア連結機構４０が戸板２０に対して固定される位置は適宜変更することができるが、この位置によって、ドアの開放状態においてドアの前方側の空間の省スペース化を図ることができるようになるため、所望のドアの開放状態を実現できるように調整するのがよい。
【００２０】
図２−１、及び図２−２は、戸板２０が開放状態にある場合を示している。ドア１の閉鎖動作はこの開放状態から開始される。この状態にあっては、ドア連結機構４０は戸板２０への固定部位を中心に閉鎖状態の位置からほぼ９０度回転した状態になっている。
【００２１】
続いて、ドア連結機構４０の詳細な構成について説明する。図３に示されるように、ドア連結機構４０は、固定部４１、連結部４２の２つの部位によって構成される。固定部４１は、戸板２０に対して固定される部材であり、図４−１に示されるようにブラケット形状をしており、固定用ネジ４１ｂによって戸枠１０に対して固定されている。
【００２２】
連結部４２は、固定部４１と戸板２０とを連結し、固定部４１と、戸板２０の両方に対して回転可能に設けられている。連結部４２は、固定部４１に対しては結合部位４４において固定されており、結合部位４４に形成された孔部と、固定部４１に形成された孔部とを貫通する回転軸４３によって固定される。したがって、連結部４２は、結合部位４４を中心として回転可能となっている。
【００２３】
また、連結部４２は、戸板２０に対しては、仲介部材４６を介して固定されている。仲介部材４６は、戸板２０に対して一対のネジ４６ｂによって固定されているとともに、連結部４２とは回転軸４６ｂを介して結合されている。したがって、連結部４２は、戸板２０に固定された仲介部材４６において回転軸４６ｂを中心に回転可能となっている。
【００２４】
また、連結部４２には、弾性変形部材であるねじりばね４５が固定部４１に近接する位置に設けられている。ねじりばね４５は、ばねカバー４５ｄによってその上面側がおおわれている。ばねカバー４５は、例えば樹脂やプラスチック製のカバーであり、その内部が空洞になっており、カバー内をねじりばね４５が変形可能となっている。
【００２５】
ねじりばね４５は、弾性力を有する素材をコイル状に何重にも巻いて形成したバネであり、コイル状部４５ｂとコイル状部４５ｂから延設された延設部４５ａとから構成されており、コイル状部４５ｂに対して固定用ネジ４５ｃが挿入されて連結部４２に対して固定されている。
【００２６】
ねじりばね４５は、ドアの開放動作にともなって連結部４２の移動に伴って変移し、開放動作の途中で、固定部４１に形成された抑制部である突出部４１ａと接触する。突出部４１ａは、すなわち固定部４１においてねじりばね４５の回転軌跡上に設けられている。ねじりばね４５は、開放動作の途中で突出部４１ａと接触すると、延設部４５ａが突出部４１aからうける力によって弾性変形する。この際、ねじりばね４５は、開放動作を妨げるほどの弾性力を設定されていないため、開放動作時には若干の抵抗力を利用者は感じるものの、開放動作は円滑に行われる。そして、一旦ねじりばね４５が突出部４１ａと接触した後は、開放状態から再び閉鎖動作が行われ、戸板２０がねじりばね４５と突出部４１ａとが接触しない位置に移動されるまでは、ねじりばね４５に弾性による復元力が生じた状態となっている。
【００２７】
続いて、以上のように構成されたドア連結機構４０の動作について図５−１〜図５−３を用いて説明する。図５−１はドアの閉鎖状態を示しており、この状態では戸板２０は、戸枠に対して水平な状態となっており、ドア連結機構４０のねじりばね４５も突出部４１ａとは接触していない。
【００２８】
図５−２は、ドア１の閉鎖状態から開放状態への操作途中、又は開放状態から閉鎖状態への移動中であって、ねじりばね４５の突出部４１ａとの接触状態が切り替わる状態を示している。この状態の時に、ねじりばね４５には弾性により元の状態に戻ろうとする復元力が生じることとなる。なお、ねじりばね４５と突出部４１ａとが接触するタイミングは、突出部４１aの形状やねじりばね４５の形状によって適宜変更することは可能であるが、ドア連結機構４０の長さ、すなわちドアの省スペース化を図りたい空間の多少によって適宜調整することにすればよい。
【００２９】
図５−３は、ドアの開放状態のドア連結機構４０を示している。この状態においては、常にねじりばね４５と、突出部４１ａとが接触していることから、ねじりばね４５の復元力が常時働いていることとなる。ここで、戸板２０がねじりばね４５の復元力によって自動的に閉鎖していまわないように、戸板２０の重量に対し、ねじりばね４５の復元力が戸板２０を移動させてしまわないように設定されていることが望ましい。
【００３０】
以上に示した本実施形態のドア連結機構４０にあっては、戸板２０の開放状態から閉鎖状態へと操作する際には、動作の開始時から戸板２０の上下端いずれの連結部４２に対して、ねじりばね４５による復元力が作用し、戸板２０を開放方向に向けて付勢する力が、作用しているとなる。したがって、上下端何れか側に力が偏重してかかった場合であっても、この復元力が戸板２０の閉鎖動作を補助する役割として作用し、結果として他方のドア連結機構４０が正常に作用せず、片側に偏重して閉鎖動作が行われるといった状態を回避することができるようになる。したがって、戸板２０の閉鎖動作を円滑に行うことができるようになる。
【００３１】
本発明はその趣旨を逸脱しない範囲において様々な形態で実施することができる。
例えば、上述した実施形態においては、弾性変形部としてねじりばねを用いる構成を用いたが、本構成はドアの開放状態において開放方向に戸板２０を付勢可能な構成であればよく、他の種類のバネや、弾性を有する素材によって形成することもできる。
【００３２】
また、突出部の形状も適宜変更できるとともに、例えば戸板２０そのものが弾性変形部と接触して、抑制部として機能するようにすることも可能である。
【符号の説明】
【００３３】
１    ドア
１０  戸枠
２０  戸板
３０  ガイド部
４０  ドア連結機構
４１  固定部
４２  連結部
４５  ねじりばね
【図１−１】
2016102335.tif 000003
【図１−２】
2016102335.tif 000004
【図２−１】
2016102335.tif 000005
【図２−２】
2016102335.tif 000006
【図３】
2016102335.tif 000007
【図４】
2016102335.tif 000008
【図５−１】
2016102335.tif 000009
【図５−２】
2016102335.tif 000010
【図５−３】
2016102335.tif 000011
【図６−１】
2016102335.tif 000012
【図６−２】
2016102335.tif 000013